(57)【要約】【課題】垂直磁気記録システムの回復時間を短縮すること。【解決手段】サーボ・データおよびサーボ・データ上に符号化されたユーザ・データを有する媒体からユーザ・データが読み出される。ユーザ・データは、書込みモードおよび読出しモードで動作させることができる読取り／書込みヘッドを使用して読み出される。サーボ・データは、書込みモードから読出しモードへの移行に続く時間窓の中で、第１の低折点周波数を有する周波数通過帯域を使用して読み出される。ユーザ・データは、時間窓が満了した後、第１の低折点周波数より低い第２の低折点周波数を有する周波数通過帯域を使用して媒体から読み出される。【選択図】  図４
2005310359.tif 000002
【特許請求の範囲】
【請求項１】
サーボ・データおよび前記サーボ・データ上に符号化されたユーザ・データを有する媒体から、書込みモードおよび読出しモードで動作させることができる読取り／書込みヘッドを使用してユーザ・データを読み出す方法であって、
書込みモードから読出しモードへの移行に続く時間窓の中で、第１の低折点周波数を有する第１の周波数通過帯域を使用して前記媒体からサーボ・データを読み出すステップと、
前記時間窓が満了した後、前記第１の低折点周波数より低い第２の低折点周波数を有する第２の周波数通過帯域を使用して前記媒体からユーザ・データを読み出すステップとを含む方法。
【請求項２】
前記時間窓の満了がトリガ事象信号によって合図される、請求項１に記載の方法。
【請求項３】
前記トリガ事象が、書込みモードから読出しモードへの移行に続く遅延時間の満了である、請求項２に記載の方法。
【請求項４】
前記トリガ事象が、ユーザ・データを読み出すべきことを示す読出しチャネルからの信号である、請求項２に記載の方法。
【請求項５】
前記トリガ事象に応答して、漸次方式で前記第１の低折点周波数を前記第２の低折点周波数に移行させるステップをさらに含む、請求項２に記載の方法。
【請求項６】
前記トリガ事象に応答して、階段方式で前記第１の低折点周波数を前記第２の低折点周波数に移行させるステップをさらに含む、請求項２に記載の方法。
【請求項７】
書込みモードから読出しモードへの移行に続いて、漸次方式で前記第１の低折点周波数を前記第２の低折点周波数に移行させるステップをさらに含む、請求項１に記載の方法。
【請求項８】
書込みモードから読出しモードへの移行に続いて、階段方式で前記第１の低折点周波数を前記第２の低折点周波数に移行させるステップをさらに含む、請求項１に記載の方法。
【請求項９】
前記第２の低折点周波数が約２００キロヘルツ以下である、請求項１に記載の方法。
【請求項１０】
書込みモードおよび読出しモードで動作させることができる読取り／書込みヘッドと、サーボ・データおよび前記サーボ・データ上に符号化されたユーザ・データを備えた媒体とを備えた垂直磁気記録システムに使用するための前置増幅器回路であって、
書込みモードから読出しモードへの移行に続く時間窓の中で、第１の低折点周波数を有する第１の周波数通過帯域を使用して前記媒体からサーボ・データを読み出し、かつ、
前記時間窓が満了した後、前記第１の低折点周波数より低い第２の低折点周波数を有する第２の周波数通過帯域を使用して前記媒体からユーザ・データを読み出すべく前記読取り／書込みヘッドの動作を制御するように構成された前置増幅器回路。
【請求項１１】
前記時間窓の満了がトリガ信号によって合図される、請求項１０に記載の前置増幅器回路。
【請求項１２】
前記トリガ信号が、書込みモードから読出しモードへ移行した後の一定の遅延時間後に生成される、請求項１１に記載の前置増幅器回路。
【請求項１３】
前記トリガ信号が、前記読取り／書込みヘッドに結合された読出しチャネルによって生成される、請求項１１に記載の前置増幅器回路。
【請求項１４】
前記トリガ信号に応答して、漸次方式で前記第１の低折点周波数を前記第２の低折点周波数へ移行させるべく動作するフィルタ回路を備えた、請求項１１に記載の前置増幅器回路。
【請求項１５】
前記トリガ信号に応答して、階段方式で前記第１の低折点周波数を前記第２の低折点周波数へ移行させるべく動作するフィルタ回路を備えた、請求項１１に記載の前置増幅器回路。
【請求項１６】
漸次方式で前記第１の低折点周波数を前記第２の低折点周波数へ移行させるべく動作するフィルタ回路を備えた、請求項１０に記載の前置増幅器回路。
【請求項１７】
前記トリガ信号に応答して、階段方式で前記第１の低折点周波数を前記第２の低折点周波数へ移行させるべく動作するフィルタ回路を備えた、請求項１０に記載の前置増幅器回路。
【請求項１８】
前記第２の低折点周波数が約２００キロヘルツ以下である、請求項１０に記載の前置増幅器回路。
【請求項１９】
集積回路（ＩＣ）として実現された、請求項１０に記載の前置増幅器回路。
【請求項２０】
書込みモードおよび読出しモードで動作させることができる読取り／書込みヘッドと、
サーボ・データおよび前記サーボ・データ上に符号化されたユーザ・データを備えた媒体と、
前記読取り／書込みヘッドに動作結合された前置増幅器回路であって、
書込みモードから読出しモードへの移行に続く時間窓の中で、第１の低折点周波数を有する第１の周波数通過帯域を使用して前記媒体からサーボ・データを読み出し、かつ、
前記時間窓が満了した後、前記第１の低折点周波数より低い第２の低折点周波数を有する第２の周波数通過帯域を使用して前記媒体からユーザ・データを読み出す
べく前記読取り／書込みヘッドの動作を制御する前置増幅器回路とを備えた垂直磁気記録システム。
【発明の詳細な説明】
【技術分野】
【０００１】
本発明は、垂直磁気記録ディスク・ドライブ・システムにおける書込みモードと読出しモードの間の移行に続く必要な回復時間を短縮するためのシステムおよび方法に関する。
【背景技術】
【０００２】
本出願は、２００４年４月１７に出願した、Ｄ．Ｄｏｌａｎ，Ｊｒ．、Ｊ．Ｈｏｗｌｅｙ，Ｚ、Ｋｅｉｒｎ，Ｇ．ＦｅｙｈおよびＭ．Ｓｔｒａｕｂによる「Ｒｅｄｕｃｅｄ  Ｒｅｃｏｖｅｒｙ  Ｔｉｍｅ  ｆｏｒ  Ｐｅｒｐｅｎｄｉｃｕｌａｒ  Ｒｅｃｏｒｄｉｎｇ  Ｓｙｓｔｅｍ」という名称の仮出願第６０／５６２，７０３号の利益を主張するものである。
【０００３】
上記仮出願第６０／５６２，７０３号は、参照によりその全体が本明細書に組み込まれている。
【０００４】
ハード・ディスク・ドライブ（ＨＤＤ）前置増幅器は、読出しモードおよび書込みモードの２つの主要モードを有している。ＨＤＤ前置増幅器に対する過酷で、かつ、挑戦的な仕様は、書込みモードから読出しモードへの切換えに必要な時間およびリーダ出力ベースラインの回復に必要な時間である。この書込み−読出し時間は、前置増幅器に注入される、内部源および外部源の両方からもたらされる過渡信号によって影響される。垂直磁気記録システムにおける書込み−読出し時間は、この過渡信号の影響を最も強く受けている。垂直磁気記録システムには、周波数が極めて低いデータを通過させる能力が必要であり、そのためには従来の水平システム要求事項からの前置増幅器の低折点周波数のリダクションが必要である。低折点周波数のリダクションは、過渡状態からの回復に必要な時間の長さにまで及んでおり、そのために過渡状態に対する感度が敏感になり、ベースラインの揺動を大きくし、延いては書込み−読出し回復時間を長くしている。また、ベースラインの揺動は、可変利得増幅器（ＶＧＡ）によるサーボ・データのトラッキングをますます困難にしており、したがって読出しチャネル・データ回復システムにとってはベースラインの揺動は望ましくない。
【特許文献１】仮出願第６０／５６２，７０３号
【発明の開示】
【発明が解決しようとする課題】
【０００５】
過去においては、内部源および外部源からの過渡注入を低減するべく、多大な努力が傾注され、また、過渡状態を低減し、かつ、過渡状態に対する過敏性を維持するための他の試行も試みられているが、いずれの試行も、過渡状態をもたらし、かつ、システムが未知であることに起因する危険を付与しているシステムに対する不合理な要求事項をもたらす結果になっている。現況技術を改善するためには過渡状態の取扱いをさらに改善する必要がある。
【課題を解決するための手段】
【０００６】
本発明は、サーボ・データおよびサーボ・データ上に符号化されたユーザ・データを有する媒体からユーザ・データを読み出すための方法および装置である。ユーザ・データは、書込みモードおよび読出しモードで動作させることができる読取り／書込みヘッドを使用して読み出される。サーボ・データは、書込みモードから読出しモードへの移行に続く時間窓の中で、第１の低折点周波数を有する周波数通過帯域を使用して読み出される。ユーザ・データは、時間窓が満了になった後、第１の低折点周波数より低い第２の低折点周波数を有する周波数通過帯域を使用して媒体から読み出される。
【発明を実施するための最良の形態】
【０００７】
図１は、例示的ハード・ディスク・ドライブ（ＨＤＤ）システム１０をブロック図で示したものである。ＨＤＤシステム１０は、媒体１２、１つまたは複数の読取り／書込みヘッド１４、アクチュエータ／相互接続１８によって１つまたは複数の読取り／書込みヘッド１４に接続された前置増幅器１６、読出しチャネル２０、モータ・コントローラ２２およびハード・ディスク・コントローラ２４を備えている。媒体１２は、データを不揮発性フォーマットで記憶しており、典型的には剛直な回転可能磁気ディスクもしくは光ディスクの形態を取っている。１つまたは複数の読取り／書込みヘッド１４を使用して媒体１２から（読出し）データが回復され、かつ、媒体１２に（書込み）データが記録される。前置増幅器１６は、読出し操作時に１つまたは複数の読取り／書込みヘッド１４によって得られる、電圧が極めて小さい信号を増幅し、かつ、書込み操作の間、読出しチャネル２０からの低電圧入力を１つまたは複数の読取り／書込みヘッド１４を駆動するための高電流信号に変換する回路である。読出しチャネル２０は、前置増幅器１６から受け取る、読出し操作時に得られる信号を検出かつ復号化し、また、媒体１２に書き込むべきユーザ・データを前置増幅器１６のために符号化している。また、読出しチャネル２０は、媒体１２の所望のトラック上の中央に置かれた１つまたは複数の読取り／書込みヘッド１４を維持するための、モータ・コントローラ２２によって閉ループ・システムで使用されるサーボ復調回路を備えている。モータ・コントローラ２２を使用してアクチュエータ／相互接続１８が制御され、それにより読取り／書込みヘッド１４が媒体１２の所望のトラック上に配置される。ハード・ディスク・コントローラ２４は、ＨＤＤシステム１０のすべてのコンポーネントの動作を制御し、調和させている。
【０００８】
図２は、媒体１２の例示的構成を線図で示したもので、ユーザ・データ・セクタ３０およびサーボ・データ・セクタ３２への媒体１２の分割が示されている。サーボ・データ・セクタ３２は、当分野ではサーボ・ウェッジと呼ばれることもある。ディスク・ドライブ・システムは、サーボ・データ・セクタ３２に記憶されている情報を利用して読取り／書込みヘッドを媒体１２の所望のトラック上に正確に配置している。したがって、ユーザ・データ・セクタ３０に記憶されているデータを回復するためには、その前にサーボ・データ・セクタ３２からサーボ情報を読み出さなければならない。
【０００９】
既存の水平磁気記録システムでは、サーボ・データおよびユーザ・データの各々には、比較的周波数の高い内容しか含まれていない。サーボ・データおよびユーザ・データがいずれも周波数の低い重要な内容を有していないため、前置増幅器１６（図１）が比較的高い低折点周波数（フィルタ通過帯域の低周波数境界）を使用して低周波信号をフィルタ除去することができるのはそのためである。含まれている信号の周波数が高いほど回路の応答が速くなるため、比較的高い低折点周波数により、前置増幅器１６は、書込みから読出しへの移行から速やかに回復することができる。
【００１０】
垂直磁気記録システムの場合、水平磁気記録システムに使用されている比較的高い低折点周波数と同じ低折点周波数を前置増幅器１６（図１）に持たせることは不可能である。その理由は、垂直磁気記録システムの信号対雑音比の改善、延いてはシステムの能力を改善するために重要な周波数の低い内容が垂直磁気記録システムのユーザ・データに含まれていることによるものである。そのため、垂直磁気記録システムの前置増幅器１６は、周波数の低い内容を通過させるように構成されており、前置増幅器１６の通過帯域の低折点周波数が比較的低いことを意味している。その結果、含まれている信号の周波数が低いほど回路の応答が遅くなるため、書込み−読出し回復が水平磁気記録システムで可能な速度より遅くなっている。
【００１１】
図３Ａは、垂直磁気記録システムにおける例示的ユーザ・データ信号４０の波形を示したものであり、図３Ｂは、垂直磁気記録システムにおける例示的サーボ・データ信号４２の波形を示したものである。ユーザ・データ信号４０には、システムの信号対雑音比を改善するべく読出しチャネルによって使用される周波数の低い内容が含まれている。サーボ・データ信号４２は、水平磁気記録システムに使用されているサーボ・データ信号と類似しており、周波数の低い重要な内容は含まれていない。
【００１２】
本発明は、垂直磁気記録システムがサーボ・データ信号の周波数の低い内容を一切利用していないという事実、また、ユーザ・データの読出しに先立って少なくとも１つのサーボ・ウェッジを読み出さなければならないという事実に基づいている。本発明によれば、前置増幅器１６（図１）のフィルタリングの実行は、書込みから読出しへの移行の直後（サーボ・データが読み出されている間）に比較的高い低折点周波数を持たせ、かつ、サーボ・データが読み出された後により低い低折点周波数を持たせるべく制御されるため、ユーザ・データの周波数の低い内容を回復し、かつ、適切に使用することができる。
【００１３】
図４は、本発明による垂直磁気記録システムにおける前置増幅器１６（図１）のフィルタリング動作の実行を流れ図で示したものである。枠５０で示すように、書込みから読出しへの移行が発生する。つまり、サーボ・データおよびユーザ・データが読み出され、回復データが前置増幅器によってフィルタリングされる。枠５２で示すように、サーボ・データが最初に読み出され、前置増幅器によって、水平磁気記録に使用される前置増幅器で可能な通過帯域と同様の比較的高い低折点周波数を有する通過帯域を使用してフィルタリングされる。図３Ｂに関連して上で説明したように、サーボ・データは周波数の低い重要な内容を有していないため、サーボ・データが読み出されている間は、前置増幅器の比較的高い低折点周波数が可能である。また、書込みから読出しへの移行（枠５０）に続く時間は、前置増幅器回路にとっては移行から回復するための重大な時間であり、この時間を使用して比較的高い低折点周波数でサーボ・データを読み出すことにより、システムがより低い低折点周波数で読出し操作を実行した場合（垂直磁気記録システムにおけるユーザ・データを読み出す必要がある場合のように）と比較して、移行に続く回復時間が短縮される。
【００１４】
枠５４の判定で示すように、トリガ事象が発生するまで比較的高い低折点周波数でサーボ・データが読み出される（枠５２）。トリガ事象は、書込みから読出しへの移行からの回復が完了したこと、および／またはサーボ・データの読出しが完了し、あるいはほぼ完了したことを信号で合図している。トリガ事象は、多くの異なる方法で実施することができ、たとえば遅延回路信号の満了によって、あるいは読出しチャネル回路からのサーボ読出し信号の変化によって実施することができる。枠５６で示すように、トリガ事象が発生すると、前置増幅器は比較的低い低折点周波数へ移行する。前置増幅器の低折点周波数がより低い周波数へ移行すると、枠５８で示すように比較的低い低折点周波数でサーボ・データが読み出される。このデータは、図３Ａに関連して上で説明したように、ユーザ・データ信号の周波数の低い内容を利用するために垂直磁気記録システムに必要なデータである。
【００１５】
代替実施形態では、比較的高い周波数から比較的低い周波数への低折点周波数の移行は、トリガ事象の発生を待機することなく実施することができる。この代替実施形態では、判定枠５４が省略されている。低折点周波数の減少率は、書込みから読出しへの移行直後の時間の間（サーボ・データが読み出されている間）、低折点周波数が移行信号からの速やかな回復を可能にするだけの十分な高さになるように制御され、また、ユーザ・データが読み出されているもっと後の時間の間は、ユーザ・データ中に存在している周波数の低い内容をシステムが読み出すことができるだけの十分な低さになるように制御される。この実施形態は、書込みから読出しへの移行によってのみトリガされる比較的単純な回路を使用して実施することができ、いくつかのアプリケーションに有利である。
【００１６】
図５は、本発明の原理による前置増幅器１６（図１）の低折点周波数と時間の間の例示的関係をグラフで示したものである。前置増幅器の低折点周波数は、書込みから読出しへの移行（図５の時間０で示す）に続くサーボ読出し時間の間は高く、移行が生じた後は低くなるため、ユーザ・データ信号の周波数の低い内容を利用する方法でユーザ・データを読み出すことができる。例示的実施形態では、比較的高い低折点周波数（図５の時間０で示す）は約３メガヘルツ（ＭＨｚ）であり、低くなった低折点周波数は約２００キロヘルツ（ｋＨｚ）である。
【００１７】
より高い低折点周波数（サーボ・データを読み出すための）とより低い低折点周波数（ユーザ・データを読み出すための）の間の移行は、多くの異なる方法で達成することができ、たとえば緩やかな漸次移行（グラフの５９ａで示す）であっても、あるいは１つまたは複数の突発的な階段状移行（グラフの５９ｂで示す）であっても良い。突発的な移行の場合、読取りヘッドから得られる信号に外乱が注入される可能性があるが、その実施は極めて単純である。漸次移行の場合、読取りヘッド信号に対する影響は小さいが、通常、より複雑な回路を使用する必要があるため、回路に必要な空間および回路のコストが増加することになる。本発明によれば、いずれのタイプの移行を使用することも可能である。
【００１８】
図６Ａは、本発明の一例示的実施態様における、前置増幅器通過帯域の低折点周波数のリダクションを制御するべく生成される信号のタイミングを線図で示したものである。タイミング発生器６０は、システムのモードが書込みモードであること、あるいは読出しモードであることを示す読出し／書込み信号６２を受け取っている。書込みモードから読出しモードに移行すると、読出し／書込み信号６２の状態が変化することによってその移行が示され、タイミング発生器６０は、信号ＩＦＭ＿ＢｉａｓおよびＩＦＭ＿Ｓｉｇｎａｌの変化をトリガするべく遅延ルーチンを実施する。ＩＦＭ＿Ｂｉａｓは、書込みから読出しへの移行（読出し／書込み信号６２の状態変化によって示される）後、第１の遅延時間でその状態が変化し、ＩＦＭ＿Ｓｉｇｎａｌは、書込みから読出しへの移行後、第２の遅延時間でその状態が変化する。他の実施形態では、上で言及したように、タイミング発生器６０は、サーボ・データがもはや読み出されていないこと（およびユーザ・データを読み出すべきこと）を示すチャネル回路からの信号の受信に基づいて信号ＩＦＭ＿ＢｉａｓおよびＩＦＭ＿Ｓｉｇｎａｌの状態を変化させるように構成されている。
【００１９】
図６Ｂは、書込みから読出しへの移行が生じた直後の比較的高い低折点周波数から、書込みから読出しへの移行に続く一定の遅延期間後におけるより低い低折点周波数へ前置増幅器を移行させるために使用される例示的回路を線図で示したものである。読取り／書込みヘッドをバイアスするための基準信号がＭＲバイアス基準回路７０によって提供されている。バイアス基準信号は、ノーマル・モード低域通過フィルタ７４および中間モード低域通過フィルタ７６を備えたフィルタ回路網７２を介して、読取り／書込みヘッド８０を駆動しているドライバ回路７８に接続されている。ノーマル・モード低域通過フィルタ７４は、信号ＩＦＭ＿Ｂｉａｓが非アクティブ状態になると接続され（スイッチ７９ａを介して）、中間モード低域通過フィルタ７６は、信号ＩＦＭ＿Ｂｉａｓがアクティブ状態になると接続される（スイッチ７９ｂを介して）。読取り／書込みヘッド８０は、ノーマル・モード高域通過フィルタ８４および中間モード高域通過フィルタ８６を備えたフィルタ回路網８２を介して増幅器８８に接続されている。増幅器８８の出力は、回路の出力信号（Ｖｏｕｔ）である。ノーマル・モード高域通過フィルタ８４は、信号ＩＦＭ＿Ｓｉｇｎａｌが非アクティブ状態になると接続され（スイッチ８９ａを介して）、中間モード高域通過フィルタ８６は、信号ＩＦＭ＿Ｓｉｇｎａｌがアクティブ状態になると接続される（スイッチ８９ｂを介して）。
【００２０】
動作について説明すると、書込みから読出しへの移行が生じると、図６Ａに示すようにＩＦＭ＿ＢｉａｓとＩＦＭ＿Ｓｉｇｎａｌの両方の信号がアクティブ状態になる。したがって図６Ｂに示す回路は、中間モード（中間モード低域通過フィルタ７６および中間モード高域通過フィルタ８６が接続される）で動作する。中間モード低域通過フィルタ７６は、読取り／書込みヘッド８０を駆動するべく比較的高い周波数まで低周波信号を通過させており、たとえば例示的実施形態では３００ＫＨｚまでの信号を通過させている。中間モード高域通過フィルタは、増幅器８８で増幅するべく、読取り／書込みヘッド８０からの、たとえば例示的実施形態では３ＭＨｚを超える比較的高い周波数の高周波信号を通過させている。したがって、この中間モードでは、中間モード低域通過フィルタ７６の比較的高い周波数通過帯域によって回路のバイアス化部分の応答がより速くなり、読取り／書込みヘッド８０によって得られる比較的高い周波信号のみが中間モード高域フィルタ８６を通過する。書込みから読出しへの移行に続く時間は、周波数の低い有用な内容を有していないサーボ・データのみが読み出される時間であり、読取り／書込みヘッド８０から得られる高周波信号のみを通過させることによって何ら情報が失われることがないため、この動作は、書込みから読出しへの移行に続く時間にふさわしい動作である。
【００２１】
書込みから読出しへの移行が生じた後、若干の時間（たとえば例示的実施形態では１．１マイクロ秒（μｓ））が経過すると、サーボ・データの読出しが終了し、かつ、ユーザ・データの読出しが開始されたという事実に基づいて信号ＩＦＭ＿Ｂｉａｓが非アクティブ状態に変化する（図６Ａに示すように）。信号ＩＦＭ＿Ｂｉａｓが非アクティブ状態に変化するとノーマル・モード低域通過フィルタ７４が接続され、比較的低い周波数までの低周波信号、たとえば例示的実施形態では１０ＫＨｚまでの低周波信号のみがドライバ回路７８に引き渡される。信号ＩＦＭ＿Ｂｉａｓの状態が変化すると直ぐに信号ＩＦＭ＿Ｓｉｇｎａｌの状態が同じく非アクティブに変化する（図６Ａに示すように）。信号ＩＦＭ＿Ｓｉｇｎａｌが非アクティブ状態に変化するとノーマル・モード高域通過フィルタ８４が接続され、読取り／書込みヘッド８０から得られる比較的低い閾値周波数より高い高周波信号、たとえば例示的実施形態では５０ＫＨｚの高周波信号が通過する。したがって、このノーマル・モードでは、読取り／書込みヘッド８０から得られる低周波信号が増幅器８８に引き渡される。これは、周波数の低い有用な内容が含まれている（垂直磁気記録システムの場合）ユーザ・データの読出しに適している。
【００２２】
図６Ａおよび６Ｂに関連して説明した実施形態は、本発明の適切な一実施態様の実施例として示したものであることを理解されたい。書込みモードから読出しモードへの移行が生じると直ちに低折点周波数の漸次リダクションが開始される構成を始めとする他の実施態様も可能である。この実施態様では、低折点周波数の移行は、ユーザ・データを読み出すまでの間に、低折点周波数がユーザ・データの周波数の低い内容の読出しおよびその考慮を可能にするだけの十分な低さ（たとえば２００ｋＨｚ以下）になるように制御される。
【００２３】
例示的実施形態に関連して上で説明した本発明により、垂直磁気記録システムにおける書込みモードから読出しモードへの移行に続く回復時間が短縮される。この改善は、書込みモードから読出しモードへの移行に続いて、比較的高い低折点周波数でサーボ・データを最初に読み出し、次に、サーボ・データ窓が閉じたことを示すトリガ事象が発生した後、比較的低い低折点周波数でユーザ・データを読み出すことによって達成される。その結果、データが高い信号対雑音比で読み出され、また、読出しチャネル内のベースラインの揺動が減少する。
【００２４】
以上、本発明について、好ましい実施形態を参照して説明したが、本発明の精神および範囲を逸脱することなく、形態および詳細に変更を加えることができることは当業者には認識されよう。特に、本発明のいくつかの形態は、個別デバイスの形で説明されているが、回路は、集積回路（ＩＣ）の形態で実践するべく好ましく縮小されていることを認識されたい。したがって、「デバイス」などの用語は、個別デバイスだけでなく、便宜上、機能部品として記述されているＩＣ部分を含むべく、それらの最も広義のコンテキストの中で解釈されたい。同様に、本発明のいくつかの形態は、同じく個別デバイスを使用して実施することができる論理ゲートおよびチップの形で説明されているが、これらはすべて本発明の範囲および精神の範疇である。
【図面の簡単な説明】
【００２５】
【図１】例示的ハード・ディスク・ドライブ（ＨＤＤ）システムのブロック図である。
【図２】ユーザ・データ・セクタおよびサーボ・データ・セクタへの媒体の分割を示す、ディスク・ドライブ媒体の例示的構成を示す線図である。
【図３】ＡおよびＢは垂直磁気記録システムにおける例示的ユーザ・データ信号の波形図である。
【図４】本発明による垂直磁気記録システムにおける前置増幅器１６（図１）のフィルタリング動作の実行を示す流れ図である。
【図５】本発明の原理による前置増幅器の低折点周波数と時間の間の例示的関係を示すグラフである。
【図６Ａ】前置増幅器通過帯域の低折点周波数のリダクションを制御するべく生成される信号のタイミングを示す線図である。
【図６Ｂ】書込みから読出しへの移行が生じた直後の比較的高い低折点周波数から、書込みから読出しへの移行に続く一定の遅延期間後におけるより低い低折点周波数へ前置増幅器を移行させるために使用される例示的回路を示す線図である。
【図１】
2005310359.tif 000003
【図２】
2005310359.tif 000004
【図３】
2005310359.tif 000005
【図４】
2005310359.tif 000006
【図５】
2005310359.tif 000007
【図６Ａ】
2005310359.tif 000008
【図６Ｂ】
2005310359.tif 000009